(57)【要約】【課題】ミスト運転を適正に実行可能なミスト機能付き給湯装置を提供する。【解決手段】ミスト装置１００は、熱源機１から供給された温水が通流する温水路８２と、浴室Ｙ内に向けられた複数のノズル部２１を備え、温水路８２からノズルユニット２に供給される温水を複数のノズル部２１から当該温水の圧力で噴霧するミスト運転を行うミスト部９０と、当該ミスト運転を制御する制御部１１と、を備える。ミスト部９０は、浴室Ｙの天井Ｙａの裏側に設置される。【選択図】図１
2018084384.tif 000002
【特許請求の範囲】
【請求項１】
熱源機から供給された温水が通流する温水路と、
浴室内に向けられた複数のノズル部を備え、前記温水路から前記複数のノズル部に供給される温水を前記複数のノズル部から当該温水の圧力で噴霧するミスト運転を行うミスト部と、
前記ミスト運転を制御する制御部と、を備えるミスト機能付き給湯装置であって、
前記制御部は、前記複数のノズル部に供給される温水の圧力が低くなる、または、低くなると予測される低水圧条件が満たされているときは、前記ミスト運転を停止させるミスト機能付き給湯装置。
【請求項２】
前記複数のノズル部は、前記温水路の下流側に接続されるノズル供給路から温水の供給を受け、
前記制御部は、前記ノズル供給路での温水の圧力が所定の圧力未満の場合に、前記低水圧条件が満たされていると判定する請求項１に記載のミスト機能付き給湯装置。
【請求項３】
前記複数のノズル部は、前記温水路の下流側に接続されるノズル供給路から温水の供給を受け、
前記制御部は、前記ノズル供給路での温水の単位時間当たりの流量が所定の流量未満の場合に、前記低水圧条件が満たされていると判定する請求項１または２に記載のミスト機能付き給湯装置。
【請求項４】
前記温水路に接続される給湯口を有し、前記温水路から供給された温水を前記給湯口から放出する給湯運転を行うことができる給湯部を備え、
前記制御部は、前記給湯運転で放出される温水の単位時間当たりの放出流量が所定の値を超える場合に、前記低水圧条件が満たされていると判定する請求項１から３の何れか一項に記載のミスト機能付き給湯装置。
【請求項５】
前記制御部は、前記温水路から前記給湯部に供給される温水の単位時間当たりの流量を、前記放出流量として判定する請求項４に記載のミスト機能付き給湯装置。
【請求項６】
前記熱源機に温水となる水を供給する給水路を備え、
前記制御部は、前記給水路を通流する水の流量が所定の値を超える場合に、前記低水圧条件が満たされていると判定する請求項４または５に記載のミスト機能付き給湯装置。
【発明の詳細な説明】
【技術分野】
【０００１】
本発明は、熱源機から供給された温水が通流する温水路と、浴室内に向けられた複数のノズル部を備え、温水路から複数のノズル部に供給される温水を当該複数のノズル部から当該温水の圧力で噴霧するミスト運転を行うミスト部と、当該ミスト運転を制御する制御部と、を備えるミスト機能付き給湯装置に関する。
【背景技術】
【０００２】
従来、自宅の浴室でも手軽にミストサウナ入浴を楽しむことができる装置が販売されている。この種の装置において、ミストを発生する（ミスト用水を噴霧する）手段として、いわゆる「温水循環方式」や、「給湯直結方式」が存在する。
【０００３】
温水循環方式は、装置内の熱交換器で熱源機から送られる熱媒としての高温用暖房温水（例えば８０℃）と給水との間で熱交換を行って装置内で給水を加熱し、それにより得られる温水をノズル部からミスト状に噴霧するミスト運転を行う方式である。つまり、熱源機が加熱する熱媒とノズル部に供給する温水とは別であり、ノズル部には少量の温水しか供給しない状態で熱源機を動作させることもできる。
【０００４】
一方、給湯直結方式は、例えば熱源機で加熱した温水を、当該温水の供給圧力を利用してそのままノズル部からミスト状に噴霧するミスト運転を行う方式である。
つまり、給湯直結方式ではノズル部に供給する水（ミスト水）を熱源機で直接加熱するため、ミスト運転が単独で行われる場合にも熱源機の燃焼出力の調整幅に対する熱源機への給水量を適正範囲とすべく、温水循環方式よりも多くの水量を熱源機に供給し、それにより得られる温水をノズル部に供給する必要がある。このため、従来は、温水循環方式のミスト発生装置（例えば特許文献１）が広く利用されてきた。
【０００５】
しかし、温水循環方式のミスト発生装置では、高温用暖房温水を循環させる配管や設備等が必要になる。一方、給湯直結方式のミスト発生装置（ミスト機能付き給湯装置）であると、温水循環方式のミスト発生装置に必要な配管等の設備が不要になるため、ミスト発生装置の設備コストを低く抑えることができるため有益である。
【先行技術文献】
【特許文献】
【０００６】
【特許文献１】特開２００６−３０４８７１号公報
【発明の概要】
【発明が解決しようとする課題】
【０００７】
ところが、給湯直結方式のミスト発生装置でも、シャワーや手洗い、湯張り等の給湯の用途にも熱源機で生成した温水を供給することがある。
このように、熱源機で生成した温水が、給湯の用途にも使用されている場合、熱源機で比較的多量の温水を生成していてもノズル部では温水をミスト状に噴霧するために十分な温水の供給圧力が得られない場合がある。この場合、ノズル部から適切なミストが噴霧できないことになる。そうすると、例えば、ノズル部が浴室天井に設けられている場合、ノズル部で液だれし、当該液だれが液滴として入浴者に向けて落下して、入浴者が不快な思いをしてしまう場合も起こり得る。
このように、従来の給湯直結方式では、ミスト発生装置ノズル部から適切なミストが噴霧できず、ミスト運転を適正に実行できない場合が起こり得るため問題となる。
そこで、ミスト運転を適正に実行可能なミスト機能付き給湯装置が望まれる。
【０００８】
本発明は、かかる実状に鑑みて為されたものであって、その目的は、ミスト運転を適正に実行可能なミスト機能付き給湯装置を提供することにある。
【課題を解決するための手段】
【０００９】
上記目的を達成するための本発明に係るミスト機能付き給湯装置の特徴構成は、
熱源機から供給された温水が通流する温水路と、
浴室内に向けられた複数のノズル部を備え、前記温水路から前記複数のノズル部に供給される温水を前記複数のノズル部から当該温水の圧力で噴霧するミスト運転を行うミスト部と、
前記ミスト運転を制御する制御部と、を備えるミスト機能付き給湯装置であって、
前記制御部は、前記複数のノズル部に供給される温水の圧力が低くなる、または、低くなると予測される低水圧条件が満たされているときは、前記ミスト運転を停止させる点にある。
【００１０】
上記構成によれば、ノズル部に供給される温水の圧力が低くなる、または、低くなると予測される低水圧条件が満たされている場合、すなわち温水の圧力不足によりノズル部が適切に噴霧できないと想定される場合には、制御部がミスト運転を停止させるため、温水の圧力不足によりノズル部が適切に噴霧できない状態、すなわち、ミスト運転を適切に行えない状態を回避できる。
したがって、ミスト運転を適正に実行可能なミスト機能付き給湯装置を提供することができる。
【００１１】
本発明に係るミスト機能付き給湯装置の更なる特徴構成は、
前記複数のノズル部は、前記温水路の下流側に接続されるノズル供給路から温水の供給を受け、
前記制御部は、前記ノズル供給路での温水の圧力が所定の圧力未満の場合に、前記低水圧条件が満たされていると判定する点にある。
【００１２】
複数のノズル部が温水路に接続されるノズル供給路から温水の供給を受ける場合には、ノズル供給路での温水の圧力が低下すると、ノズル部に供給される温水の圧力が低くなる。したがって、上記構成によれば、制御部は、ノズル供給路での温水の圧力を監視して、当該圧力が所定の圧力未満の場合には、ノズル部に供給される温水の圧力が低くなる、または、低くなると予測される低水圧条件が満たされていると判定することができる。
【００１３】
本発明に係るミスト機能付き給湯装置の更なる特徴構成は、
前記複数のノズル部は、前記温水路の下流側に接続されるノズル供給路から温水の供給を受け、
前記制御部は、前記ノズル供給路での温水の単位時間当たりの流量が所定の流量未満の場合に、前記低水圧条件が満たされていると判定する点にある。
【００１４】
複数のノズル部が温水路に接続されるノズル供給路から温水の供給を受ける場合には、ノズル供給路での温水の単位時間当たりの流量（以下、単に「流量」と称する場合は「単位時間当たりの流量」のことを言う）が低下すると、ノズル部に供給される温水の圧力が低くなる。したがって、上記構成によれば、制御部は、ノズル供給路での温水の流量を監視して、当該流量が所定の流量未満の場合には、ノズル部に供給される温水の圧力が低くなる、または、低くなると予測される低水圧条件が満たされていると判定することができる。
【００１５】
本発明に係るミスト機能付き給湯装置の更なる特徴構成は、
前記温水路に接続される給湯口を有し、前記温水路から供給された温水を前記給湯口から放出する給湯運転を行うことができる給湯部を備え、
前記制御部は、前記給湯運転で放出される温水の単位時間当たりの放出流量が所定の値を超える場合に、前記低水圧条件が満たされていると判定する点にある。
【００１６】
通常、温水路での温水の流量には限界がある。言い換えると、温水路には、所定の流量以上の湯水は供給されず、また、温水路は所定の流量以上で温水を通流させることはできない。温水路に温水を供給する熱源機から供給される温水の流量や温水の圧力には、通常、上限が存在するためである。
そのため複数のノズル部に温水を供給する温水路に、さらに当該温水路から温水が供給される給湯部が接続されている場合、給湯部の給湯運転で湯水が一定量以上の流量で放出されると、複数のノズル部に供給される温水の流量は低下して、複数のノズル部に供給される温水の圧力も低下する。
したがって、上記構成によれば、制御部は、給湯運転で放出される温水の放出流量を監視して、当該流量が所定の流量を越える場合には、ノズル部に供給される温水の圧力が低くなる、または、低くなると予測される低水圧条件が満たされていると判定することができる。
【００１７】
本発明に係るミスト機能付き給湯装置の更なる特徴構成は、
前記制御部は、前記温水路から前記給湯部に供給される温水の単位時間当たりの流量を、前記放出流量として判定する点にある。
【００１８】
通常、給湯部に供給される温水の流量は、給湯部の放出流量と一致する。
したがって、上記構成によれば、制御部は、給湯部に供給される温水の流量を監視して、当該流量が所定の流量を越える場合には、ノズル部に供給される温水の圧力が低くなる、または、低くなると予測される低水圧条件が満たされていると判定することができる。
【００１９】
本発明に係るミスト機能付き給湯装置の更なる特徴構成は、
前記熱源機に温水となる水を供給する給水路を備え、
前記制御部は、前記給水路を通流する水の流量が所定の値を超える場合に、前記低水圧条件が満たされていると判定する点にある。
【００２０】
上述のとおり、温水路に温水を供給する熱源機からの供給される温水の流量や温水の圧力には上限が存在する。
熱源機が給水路から温水となる水を供給される場合には、この給水路からの供給される水の流量を越えて、熱源機が温水を供給することはできない。そして、この給水路から供給される水の流量についても通常は上限が存在する。いわゆる水道などの給水の供給配管径や、給水の圧力はおよそ一定であるためである。つまり、熱源機からの供給される温水の流量や温水の圧力は、給水路からの供給される水の流量や圧力で決まる。
したがって、上記構成によれば、制御部は、給水路を通流する水の流量を監視して、当該流量が所定の流量を越える場合には、ノズル部に供給される温水の圧力が低くなる、または、低くなると予測される低水圧条件が満たされていると判定することができる。
【図面の簡単な説明】
【００２１】
【図１】ミスト機能付き給湯装置の構成を示す模式図
【図２】複数のノズル部の配列を浴室内から見た場合のレイアウト図
【図３】複数のノズル部の配置の説明図
【図４】複数のノズル部を備えたノズルユニットの構造を説明する断面図
【図５】ミスト機能付き給湯装置の動作を示すフローチャート
【発明を実施するための形態】
【００２２】
本発明に係るミスト機能付き給湯装置（以下、「ミスト装置」と称する）は、使用者である入浴者が浴室で手軽にミストサウナ入浴を楽しむことができるように構成される。以下、本実施形態のミスト装置１００について説明する。図１には、ミスト装置１００の構成が模式的に示される。
【００２３】
図１に示されるように、ミスト装置１００は、熱源機１から供給された温水が通流する温水路８２と、浴室Ｙ内に向けられたノズルユニット２（複数のノズル部）を備え、温水路８２からノズルユニット２に供給される温水をノズルユニット２から当該温水の圧力で噴霧するミスト運転を行うミスト部９０と、当該ミスト運転を制御する制御部１１と、を備える。
以下、ミスト装置１００の具体例について、概略構成から説明していく。
【００２４】
〔ミスト装置の概略構成〕
ミスト装置１００は、熱源機１と、ミスト部９０と、給湯部８９と、ミスト装置１００全体の動作、すなわちこれら熱源機１とミスト部９０と給湯部８９との動作を制御し、また監視する制御部１１と、を備える。
【００２５】
熱源機１は、給水路８１と温水路８２とを有し当該給水路８１から供給された水を加熱して温水を生成し、当該温水を温水路８２に供給する。
給水路８１には流量検知部８４が設けられている。
【００２６】
ミスト部９０は、浴室Ｙの天井Ｙａから浴室内に向けられた複数のノズル部２１を有するノズルユニット２（図２、図４参照）を備え、温水路８２に接続されるノズル部２１に熱源機１で生成された温水を供給して、ノズル部２１から室内に向けて温水をミストとして噴霧するミスト運転を行う。
ここで、室内とは、ミストサウナ入浴を楽しめる空間であり、例えば浴室Ｙ内が相当する。また、ノズル部２１とは、浴室内でミストを噴霧する機構である。
【００２７】
給湯部８９は、浴室内で温水を放出（使用）する給湯運転を行う浴室設備であり、給湯口を備えた設備である。
本例では、給湯部８９として、湯張り部６５と、蛇口部５５を備えた場合を例示している。
【００２８】
蛇口部５５は、シャワーや通常の給湯等を行う給湯口であるカラン５６を有し、給水路８１から分岐する蛇口水路５７を介してカラン５６に熱源機１で生成された温水を供給する給湯運転を行う。カラン５６は、浴室内で温水を放出（使用）する。
【００２９】
湯張り部６５は、浴槽６６に湯張り給湯を行う給湯口である風呂アダプタ６７を有し、給水路８１から分岐する湯張り水路６８を介して風呂アダプタ６７に熱源機１で生成された温水を供給する給湯運転を行う。風呂アダプタ６７は、浴槽６６（浴室内）で温水を放出（使用）する。
【００３０】
上述の通り、ミスト部９０は、所謂、熱源機１で加熱した湯をそのままノズル部２１からミスト状に噴霧する「給湯直結方式」である。つまり、ミスト部９０のノズル供給路３、蛇口部５５の蛇口水路５７、湯張り部６５の湯張り水路６８には、いずれも熱源機１で生成された温水が、温水路８２から供給される。
【００３１】
〔ミスト装置の詳細説明〕
以下には、浴室Ｙの天井裏に設置する「天井設置型」のミスト部９０を有するミスト装置１００を例に挙げて説明する。
【００３２】
ミスト部９０は、浴室Ｙの天井Ｙａの裏側に設置される。また、ミスト装置１００は、浴室Ｙの天井Ｙａの表側に設置されるグリル板９１を備えている。
【００３３】
ミスト部９０には、浴室Ｙの暖房装置として、暖房運転を行う循環部７０が備えられている。
また、ミスト部９０には、上述した複数のノズル部２１を有するノズルユニット２と、ノズル部２１に温水を供給するノズル供給路３が備えられる。
【００３４】
循環部７０は、浴室Ｙ内から内気を吸引するとともに、熱源機１によって加熱供給される熱媒により当該内気を加温して温風として浴室Ｙ内に戻す暖房運転を行う浴室Ｙの暖房装置である。
循環部７０は、循環ファン９４と、空気加熱用熱交換器９５と、換気ファン９６と、を有する。
【００３５】
循環ファン９４は、グリル板９１に形成した吸引口９２を通して浴室Ｙ内の空気（内気）を吸引し、吸引した空気を浴室Ｙ内に向けて吹き出す送風・循環手段である。例えば、シロッコファンを用いることができる。
循環ファン９４は、送風路９３を介して空気を変更可動ルーバ９７へ供給し、変更可動ルーバ９７は送風路９３から供給される空気の吹出方向を適宜変更して、浴室Ｙ内に向けて吹き出す。
【００３６】
変更可動ルーバ９７は、送風路９３から供給される空気（温風）を吹き出す送風口である。変更可動ルーバ９７は、本例ではスリット状の送風口として設けられている。
【００３７】
空気加熱用熱交換器９５は、熱交換器である。空気加熱用熱交換器９５は、循環ファン９４にて通風される空気を加熱する空気加熱手段である。
【００３８】
換気ファン９６は、吸引口９２を通して浴室Ｙ内の空気（内気）を吸引し、外部に排出する送風および換気手段である。例えば、シロッコファンを用いることができる。
【００３９】
ノズル部２１は、浴室内に向って水を噴霧する噴霧手段である（以下、ノズル部２１から噴霧される水をミスト用水と称する）。
ノズル部２１は、噴霧する場合に、当該ミスト用水の圧力で噴霧する。つまり、ノズル部２１は、いわゆる一流体ノズルである。
【００４０】
ノズル部２１は、該ミスト用水を噴霧する噴霧孔としてノズル口２２を備える。本例では例えば、ノズル部２１一つに対して、ひとつのノズル口２２を備える。なお、ノズル部２１一つに対して、複数のノズル口２２を備える場合もある。図３、４にノズル部２１の一例を示す。
【００４１】
ノズル部２１には、温水路８２から温水がミスト用水として供給される。つまり、ノズル部２１から噴霧されるミスト用水は、熱源機１に設けられる第一燃焼器４２によって加熱される。
ノズル部２１には、温水路８２の下流側に接続されるノズル供給路３を流通したミスト用水が供給される。つまりノズル部２１は、ノズル供給路３に接続されており、ノズル供給路３は、温水路８２から供給された温水を、ノズルユニット２のノズル部２１に供給する。
そしてノズル部２１に供給された温水が、ノズル口２２から噴霧される。
【００４２】
ノズル部２１についてさらに説明を加える。
ノズル部２１は、ノズル供給路３からノズルユニット２に供給される温水を、当該温水の圧力で噴霧するよう構成されている。つまり、ノズル供給路３を通流する温水の圧力が、温水を噴霧するエネルギーとして用いられる。
通常、ノズル供給路３を通流する温水の圧力がより高いと、ノズル部２１から噴霧されたミストの液滴径はより小さくなる。ノズル供給路３を通流する温水の圧力がより低いと、ノズル部２１から噴霧されたミストの液滴径は大きくなる。つまり、ノズル供給路３を通流する温水の圧力が低くなると、ノズル部２１は適切に噴霧できない場合がある。
【００４３】
本例のノズル部２１は、たとえばノズル供給路３を通流する温水の圧力が０．１５ＭＰa以上である場合に、適切に噴霧可能なノズルを最小にした場合を示している。たとえば、ノズル部２１は、ノズル供給路３を通流する温水の圧力が０．１５ＭＰa以上である場合に、液滴径（直径）が２００μｍ以下となるノズルを採用できる。なお、液滴径は、いわゆるレーザー回折法で計測できる液滴径を用いることができ、たとえば、体積平均径を用いる。本例に言う液滴径は、レーザー回折法により計測した体積平均径である。
【００４４】
また、本例のノズルユニット２は、ノズル供給路３を通流する温水の圧力が０．１５ＭＰaである場合に、３．５Ｌ／ｍｉｎのミスト用水を消費するよう構成されている。また、本例のノズルユニット２は、ノズル供給路３を通流する温水の圧力が０．１５ＭＰa以上である場合に、３．５Ｌ／ｍｉｎ以上のミスト用水を消費するよう構成されている。つまり、本例のノズルユニット２は、ノズル供給路３から、３．５Ｌ／ｍｉｎ以上のミスト用水の供給を受ければ、適切に噴霧可能となっている。
なお、本例のノズルユニット２は、ノズル供給路３を通流する温水の圧力が０．３０ＭＰaの場合には、およそ５．０Ｌ／ｍｉｎのミスト用水を消費する。
【００４５】
ノズル部２１は、浴室Ｙの天井Ｙａから浴室Ｙ内に向けて、設けられる。つまりノズル部２１の噴霧方向は、浴室Ｙ内に向けた方向になっている。
本例では、ノズル部２１は、複数個のノズル部２１を包含するノズルユニット２として浴室Ｙの天井Ｙａから浴室Ｙ内に向けて設けられている。
【００４６】
つまり、ノズルユニット２は、浴室Ｙの天井Ｙａから浴室Ｙ内に向けられた複数のノズル部２１を備えたノズル部２１の集合体である。
ノズルユニット２は、複数のノズル部２１を規則配列して構成されている。本例では、ノズル部２１が、直線状に一定間隔で、２列に配列されている。例えば、ノズル部２１を正方配列して４個備えた集合ノズル体２９を、図２、図４に示すように連続して１列に配列する場合などがある。
【００４７】
また、本例では、ノズルユニット２は、変更可動ルーバ９７の隣に、変更可動ルーバ９７に平行に設けられている。つまり、複数のノズル部２１は、ノズルユニット２として、変更可動ルーバ９７に平行に設けられている。
【００４８】
このように、ノズルユニット２を、変更可動ルーバ９７の隣に、変更可動ルーバ９７に平行に設けると、ノズルユニット２から噴霧されたミストは、変更可動ルーバ９７から吹出す空気の随伴流に誘引されて、変更可動ルーバ９７から吹出す空気（温風）と効率よく接触することができる。たとえば、ミスト運転を実行している場合において、さらに暖房運転を実行する場合に、ノズルユニット２から噴霧されたミストと変更可動ルーバ９７から吹出す空気（温風）とを熱交換させて入浴者の好みに応じた浴室環境の調整を可能とすることができる。たとえば入浴者が肌寒く感じる場合を回避し、入浴感を向上させる場合があるため好ましい。
【００４９】
ノズルユニット２は、ノズル部２１を天井Ｙａに支持する平板状の支持板２８を備えている。本例では支持板２８は、グリル板９１と一体に構成されている。また、グリル板９１は天井Ｙａを実質的に構成している。
複数のノズル部２１は、支持板２８から浴室Ｙ内に向けて先端を突出した状態に設けられている。
【００５０】
ノズル部２１は、図４に示すように、ノズル供給路３からノズル内流路２５を介して供給された温水を吐出（噴出）するノズル孔２６の先端開口部であるノズル口２２と、ノズル口２２の外周に筒状に設けられたカラー部２３とを備えている。
【００５１】
また、ノズル部２１は、ノズル口２２をいわば頂点（起点）としてノズル口２２の出口方向の出口の向きに向けて拡径するすり鉢状の拡径部２４を備えており、カラー部２３は、ノズル口２２の外周であり、かつ、拡径部２４の外周に設けられている。言い換えると、拡径部２４は、ノズル口２２から外周方向、かつ、ノズル口２２の噴霧方向に向けて拡径する形状であり、カラー部２３の内面側に沿って設けられている。すなわち、ノズル部２１はノズル口２２とカラー部２３との間に拡径部２４を備えているのである。
【００５２】
本例では、ノズル部２１のカラー部２３の先端が、拡径部２４よりも浴室Ｙ内に向けて突出した状態に設けられ、カラー部２３の先端が、支持板２８から浴室Ｙ内に向けてやや突出した状態に設けられている。つまり、カラー部２３の先端は、ノズル口２２よりも浴室Ｙ内に向けて突出した位置、すなわちノズル口２２よりも噴霧方向に前進した位置にあり、さらにそのカラー部２３の先端は、支持板２８から浴室Ｙ内に向けてやや突出した状態に設けられているのである。
【００５３】
このように、ノズル部２１は、支持板２８から浴室Ｙ内に向けて先端を突出した状態、特にカラー部２３の先端がノズル口２２および支持板２８から浴室Ｙ内に向けてやや突出した状態に設けることで、ノズル部２１で液だれｄが発生した場合にも、当該液だれｄが成長し、大きな液滴となって落下し、入浴者に不快感を生ずる場合を回避できるため好ましい。
【００５４】
なお、液だれとは、ノズル部２１に供給されたミスト用水（温水）が、ノズル部２１で適切に噴霧されず、例えばノズル部２１のノズル口２２から流出したような状態などを言う。具体的には、ノズル口２２から吐出したミスト用水が、そのミスト用水の表面張力で、ノズル部２１の表面に付着して滞留している状態を言う。
また液だれが発生する、との概念には、ノズル口２２から吐出したミスト用水などの液体が、その液体の表面張力で、ノズル部２１の表面に付着して滞留するような状態が生ずることに加え、当該付着した液体が、ノズル部２１が噴霧した場合の霧の液滴よりも十分に大きな液滴として落下するような場合も含む。
【００５５】
ノズル口２２で液だれｄが発生した場合、当該液だれｄは、拡径部２４を伝ってカラー部２３に導かれカラー部２３の先端に集合する。カラー部２３は、支持板２８からやや突出しているため、グリル板９１などの平面部に液だれｄが付着する場合の平面部と液だれｄとの接触面積に比べ、カラー部２３の先端に液だれｄが付着する場合のカラー部２３の先端と液だれｄの接触面積が小さくなり、カラー部２３の先端に集合した液だれｄは、過大に成長する前（大きな液滴に成長する前）に、液だれｄの表面張力よりも液だれｄの重力が相対的に過大となって、浴室内に落下する。
つまり、カラー部２３の先端が支持板２８から浴室Ｙ内に向けてやや突出した状態に設けることで、ノズル部２１で発生した液だれｄが、その水の表面張力により、支持板２８の表面に対して展延し、支持板２８の表面で過大な液滴に成長して落下するような場合を回避する。そのため、ノズル部２１で液だれｄが発生した場合にも、当該液だれｄが成長し、大きな液滴となって落下し、入浴者に不快感を生ずる場合を回避できる。
【００５６】
また、上述のようにノズルユニット２は、変更可動ルーバ９７の隣に変更可動ルーバ９７に平行に設けられているため、カラー部２３の先端に集合した液だれｄの水は、変更可動ルーバ９７から吹出す空気の随伴流に刺激されて、過大に成長する前（大きな液滴に成長する前）に浴室内に落下する。そのため、ノズル部２１で液だれｄが発生した場合にも、当該液だれｄが成長し、大きな液滴となって落下し、入浴者に不快感を生ずる場合を回避できる。
【００５７】
ノズル部２１の寸法および材質等について具体例を説明する。
ノズル部２１を形成する材質は、たとえば、ポリフェニレンスルファイドで形成可能である。その他、ポリオレフィン系樹脂、塩ビ系樹脂、ポリエステル系樹脂、フッ素系樹脂など、利用可能である。
【００５８】
ノズル部２１のノズル口２２は例えば１ｍｍに形成できる。一般には０．２ｍｍから２ｍｍ程度が好適である。
ノズル部２１のカラー部２３の外周径はたとえば５ｍｍに形成できる。
【００５９】
ノズル部２１のノズル口２２は、浴室Ｙの側から支持板２８に対する法線方向視で見た場合、同一の間隔で、複数のノズル口２２を１列に配列することができる。例えば、ノズル部２１のノズル口２２を１３個、同一の間隔で直線状に１列に配列することができる。また、ノズル部２１の複数のノズル口２２を同一の間隔で１列に配列したものを、複数列、平行に並べることもできる。
本実施例では、浴室Ｙの側から見た場合、ノズル部２１のノズル口２２を、同一の間隔で、直線状に１列にノズル口２２を１３個配列し、これを平行に２列に並べた場合を例示している。
【００６０】
ノズル部２１は、たとえばカラー部２３の先端が支持板２８から３ｍｍ程度突出して設けると好適である。一般には２ｍｍから５ｍｍ程度、突出させるとよい。
【００６１】
ノズル供給路３について補足する。
ノズル供給路３は、温水路８２に連通接続され、温水路８２とノズル部２１とを連通し、温水がミスト用水として流通する管である。
ノズル供給路３には、ノズル供給路３を通流する温水の圧力を検知する圧力検知部８６が設けられている。
本例のノズル供給路３には、ノズル供給路３を通流する温水の圧力を検知する圧力検知部８６の上流に、噴霧流量調節弁１０を備えて構成される。
【００６２】
噴霧流量調節弁１０は、ノズル供給路３を流れるミスト用水の通流と停止を制御する弁部材である。噴霧流量調節弁１０としては、例えば開閉自在の開閉弁が用いることができる。また、噴霧流量調節弁１０としては、開閉のみならず、例えば流路面積の変更動作（開度調整）が自在の弁部材、すなわち流量調整弁が用いられる場合もある。
噴霧流量調節弁１０としては、ノーマルクローズタイプの開閉弁であると停電時などは閉状態となるため好ましい。
【００６３】
本例では、噴霧流量調節弁１０が、通流と停止を制御する開閉弁であって、通常は閉弁状態にあり、開弁指令を受けた場合に所定の開度で開状態となる、ノーマルクローズタイプの流量調整弁である場合を説明しており、ノズル供給路３を流れるミスト用水の通流量が所定の流量に調節可能である場合を示している。
【００６４】
噴霧流量調節弁１０として流量調整弁を用いる場合には、ノズル供給路３を通流する温水の単位時間当たりの流量（例えば１分間）の調節をする場合もある。
具体的には、ノズル供給路３を通流する温水の流量が過大であるために、ノズルユニット２からの噴霧量が過大となる場合に、ノズル供給路３を通流する温水の流量を制限する場合に用いることがある。
このような噴霧流量調節弁１０は、ノズル供給路３を流れるミスト用水が所期の流量に調節できるように、流路面積をリニアに変更可能なリニア弁で構成すると好適である。
【００６５】
制御部１１は、ミスト運転および給湯運転の動作を制御し、また監視する中央制御部である。具体的には、主に噴霧流量調節弁１０の動作を制御し、流量検知部８４や圧力検知部８６の検知する流量や圧力を監視する。
制御部１１は、単一の制御ユニットでもよいし、ミスト部９０に設けられた制御ユニットと、熱源機１に設けられた制御ユニットとの組み合わせでもよい。
【００６６】
ここで、制御部１１が制御する噴霧流量調節弁１０の動作とは、噴霧流量調節弁１０が開閉弁の場合には、ノズル供給路３を流れるミスト用水の通流と停止である。なお、噴霧流量調節弁１０が流量調整弁である場合には、噴霧流量調節弁１０の動作には、ノズル供給路３を流れるミスト用水の通流と停止に加え、ノズル供給路３の流量を調節するための噴霧流量調節弁１０の流路面積の変更動作が含まれる。
【００６７】
熱源機１は第一熱交換機構３１と第二熱交換機構３２とを備えて構成される。
第一熱交換機構３１は、第一熱交換部４１と第一燃焼器４２と第一比例弁４３とを備えて構成される。
第二熱交換機構３２は、第二熱交換部４４と第二燃焼器４５と第二比例弁４６とを備えて構成される。
開閉弁４７を介して第一比例弁４３及び第二比例弁４６に向けて燃料（例えばガス）が供給される。
【００６８】
熱源機１は、第一熱交換機構３１に給水路８１と温水路８２とを有し、第一熱交換部４１により当該給水路８１を流れる水を加熱して温水を生成する。熱源機１が生成した温水は、温水路８２に供給される。
【００６９】
温水が使用される場合の熱源機１の燃焼制御について説明する。
制御部１１は、第一燃焼器４２の空焚き事故や第一燃焼器４２の燃焼出力の調整幅に対する第一熱交換機構３１への給水量が適正範囲の下限を下回る状態（以下、不適正状態と称する）を防止すべく、流量検知部８４の検知する流量が、第一燃焼器４２が不適正状態となる所定の流量未満となる場合には、第一燃焼器４２の動作を禁止する制御を、燃焼制御として行う。
具体的には、制御部１１は、流量検知部８４の検知する流量が、第一燃焼器４２が不適正状態となる所定の流量未満の場合には、第一燃焼器４２に対して着火ないし燃焼動作を禁止する。つまり、点火器（図示せず）を点火動作させず。ガスの供給を止めた状態のままにする。
【００７０】
第一燃焼器４２が着火前は、流量検知部８４の検知する流量が、第一燃焼器４２が不適正状態となる所定の流量以下である場合に、制御部１１は、第一燃焼器４２の着火を禁止する。流量検知部８４の検知する流量が、第一燃焼器４２が所定の流量を越える場合に、制御部１１は、第一燃焼器４２の着火を許可する。第一燃焼器４２の着火を許可される場合、制御部１１は、必要に応じて、図示しない点火器で、第一燃焼器４２に供給される燃料を点火する。
第一燃焼器４２が着火後は、流量検知部８４の検知する流量が、第一燃焼器４２が不適正状態となる所定の流量以下となった場合に、制御部１１は、第一燃焼器４２に動作停止（消火）を指令する。流量検知部８４の検知する流量が、第一燃焼器４２が所定の流量を越える場合には、制御部１１は、動作停止（消火）を指令しない。
【００７１】
ノズルユニット２の温水の使用（ミスト運転）、蛇口部５５や湯張り部６５の温水の使用（給湯運転）と、流量検知部８４で検知する流量をもとにした熱源機１の燃焼制御について具体的に説明する。
【００７２】
ミスト運転を開始する場合、制御部１１は、ノズル部２１からミスト用水の噴霧を開始するために、ノズルユニット２に連通するノズル供給路３を流通するミスト用水をノズル部２１に供給すべく、噴霧流量調節弁１０に開弁を指令する。噴霧流量調節弁１０は、当該指令により開弁する。
【００７３】
噴霧流量調節弁１０が開弁されて、流量検知部８４によって検出される給水路８１の流量が所定の流量に達すると、第一燃焼器４２が着火していない場合には、第一燃焼器４２に着火（運転開始）を指令する。第一燃焼器４２は、当該指令により運転を開始する。すなわち、第一比例弁４３、及び開閉弁４７が開弁され、熱源機１に燃料（例えばガス）が供給される。これにより第一燃焼器４２が運転を開始し、給水路８１を流通する水が第一熱交換部４１において加温され、温水路８２に供給される。このように加温されたミスト用の温水が、上述したノズル供給路３を流通する。
【００７４】
本例において、単独でミスト運転を行う場合、ノズルユニット２は、噴霧流量調節弁１０が開弁されると、通常時は、不適正状態となる所定の流量（例えば、３．５Ｌ／ｍｉｎ未満）を越える流量のミスト用水を噴霧するように構成されている。したがって、給水路８１に水を供給する市水が断水や給水制限などの異常時、ないし、給水路８１やノズル供給路３などの配管や、ノズル部２１の閉塞が起き、水や温水の通流が阻害されるような故障時を除き、通常時においては、流量検知部８４の検知する流量は、第一燃焼器４２が不適正状態となる所定の流量を越えることになる。
なお、ミスト運転と、給湯運転とが同時に行われる場合には、流量検知部８４の検知する流量はさらに増加することになるため、やはり第一燃焼器４２が不適正状態となることは無い。
【００７５】
しかし、ミスト運転が単独で開始される場合に、ノズル部２１が閉塞するなどして、流量検知部８４の検知する流量が、第一燃焼器４２が不適正状態となる所定の流量未満となると、制御部１１は、第一燃焼器４２に動作停止を指令する。つまり、制御部１１は、第一燃焼器４２へのガスの供給を停止する。
【００７６】
給湯運転を開始する場合に、蛇口部５５に連通する蛇口水路５７が開放されて流量検知部８４によって検出される給水路８１を流通する水の流量が所定の流量に達すると、上記同様に制御部１１の動作指令により、第一比例弁４３、及び開閉弁４７が開弁され、熱源機１に燃料（例えばガス）が供給される。これにより第一燃焼器４２が運転を開始し、給水路８１を流通する給湯用の水が第一熱交換部４１において加温され、温水路８２に供給される。このように加温された給湯用の温水が、蛇口部５５の蛇口水路５７を流通する。
また、上記同様に、流量検知部８４の検知する流量が、第一燃焼器４２が不適正状態となる所定の流量未満となると、制御部１１は、第一燃焼器４２に動作停止を指令する。つまり、制御部１１は、第一燃焼器４２へのガスの供給を停止する。
【００７７】
給湯運転を開始する場合に、湯張り部６５に連通する湯張り水路６８が開放されて流量検知部８４によって検出される給水路８１を流通する流量が所定の流量に達すると、上記同様に制御部１１の動作指令により、第一比例弁４３、及び開閉弁４７が開弁され、熱源機１に燃料（例えばガス）が供給される。これにより第一燃焼器４２が運転を開始し、給水路８１を流通する湯張り用水が第一熱交換部４１において加温され、温水路８２に供給される。
このように加温された湯張り用水が、上述した湯張り水路６８を流通し、湯張り水路６８に接続される風呂アダプタ６７を介して浴槽６６に供給される。
なお、第一熱交換部４１により加温された水の温度は温水路８２に設けられた温度センサ８３により検出する。
また、上記同様に、流量検知部８４の検知する流量が、第一燃焼器４２が不適正状態となる所定の流量未満となると、制御部１１は、第一燃焼器４２に動作停止を指令する。つまり、制御部１１は、第一燃焼器４２へのガスの供給を停止する。
【００７８】
なお、上述した空気加熱用熱交換器９５による暖房運転を行う場合には、熱媒循環路５１における熱媒の流通を制御する制御弁５２を開状態とし、ポンプＰにより熱媒循環路５１内の熱媒を循環させた状態で第二比例弁４６を開弁し、第二燃焼器４５にガスを供給する。これより、第二燃焼器４５が点火して運転を開始し、熱媒循環路５１を流通する熱媒が第二熱交換部４４において加温される。
このように加温された熱媒が、空気加熱用熱交換器９５に供給される。その後、循環ファン９４が動作されて、吸引口９２を通して浴室Ｙ内の空気を吸引し、吸引した空気が空気加熱用熱交換器９５によって加熱された後に浴室Ｙ内に向けて吹き出される。
【００７９】
噴霧状態管理制御について説明する。
制御部１１は、ミスト運転を行う場合、上述の第一燃焼器４２の燃焼制御とともに、ミスト運転の噴霧状態管理制御とを行う。
制御部１１は、ノズル部２１に供給される温水の圧力が低くなる、または、低くなると予測される低水圧条件が満たされているときは、ミスト運転を停止させる制御を、噴霧状態管理制御として行う。このような低水圧条件は、通常、給湯運転が行われている場合に起こり得る。
ノズル部２１に供給される温水の圧力が低くなる、または、低くなると予測される場合には、ノズル部２１が適切に噴霧できず、また適切に噴霧できなくなると予測される。したがって、ノズル部２１で適切に噴霧できない状態を回避するため、噴霧状態管理制御が行われる。
【００８０】
低水圧条件について説明する。
低水圧条件とは、上述の通りノズル部２１に供給される温水の圧力が低いと検出された場合、または、低くなると予測される場合である。
本例では、ノズル部２１に供給される温水の圧力が低いとの判断、または、低くなるとの予測は、複数方法で行うことが可能である。
【００８１】
ノズル部２１に供給される温水の圧力が低くなるとの検知は、たとえばノズル供給路３の圧力の監視により行うことができる。つまり、ノズル部２１に供給される温水の圧力が低くなるという低水圧条件が満たされているとの判断を行う場合に、ノズル供給路３の圧力を確認して判断することができる。
本例では、ノズル供給路３の圧力としては、圧力検知部８６の検知する圧力（検知圧力）を採用し、制御部１１が、当該検知圧力を監視して、ノズル部２１に供給される温水の圧力が低くなるとの判断を行うことができる。
【００８２】
本例の場合、制御部１１は、圧力検知部８６の検知圧力が０．１５ＭＰａ（所定の圧力の一例）未満となる場合に、低水圧条件が満たされていると判断することができる。
【００８３】
ノズル部２１に供給される温水の圧力が低くなるとの予測は、たとえばノズル供給路３の流量の監視により行うことができる。つまり、ノズル部２１に供給される温水の圧力が低くなると予測されるという低水圧条件が満たされているとの判断を行う場合に、ノズル供給路３の流量、すなわち、ノズルユニット２に供給される温水の流量を確認して判断することができる。
【００８４】
上述したように、本例のノズルユニット２は、ノズル供給路３から、たとえば３．５Ｌ／ｍｉｎ以上のミスト用水の供給を受ければ、ノズル部２１に供給される温水の圧力が十分であり、ノズル部２１が適切に噴霧可能構成となっている。すなわち、ノズル供給路３の流量が３．５Ｌ／ｍｉｎ（所定の流量の一例）未満、つまり所定の流量未満となる場合に、ノズル部２１に供給される温水の圧力が低下して、ノズル部２１が適切に噴霧できなくなる。
【００８５】
言い換えると、制御部１１は、ノズル供給路３の流量が３．５Ｌ／ｍｉｎ（所定の流量の一例）未満となる場合に、低水圧条件が満たされていると判断することができる。
【００８６】
本例では、ノズル供給路３の流量を確認するために、ノズル供給路３に、流量を検知する流量検知部を設けることもできる。
しかし、ノズル供給路３の流量は、ミスト運転を開始する以前はゼロとなる。つまり、ノズル供給路３の流量をもとにしてミスト運転を開始する以前に、ノズル部２１に供給される温水の圧力が低くなるかどうかを予測することができない。更に言うと、ミスト運転を一旦開始しなければノズル部２１に供給される温水の圧力低くなるとの予測ができない点が問題となる。
【００８７】
通常、給水路８１から供給される水の流量には上限が存在する。たとえば本例では、給水路８１への給水の最大圧力（給水停止時の圧力）は０．４０ＭＰａであり、給水路８１は、最大２５Ｌ／ｍｉｎの給水を０．３６ＭＰａで受けることができる。このように給水路８１から供給される水の流量に上限が存在するのは、いわゆる水道などの市水の給水の供給配管径や、当該給水の圧力はおよそ一定であり、また、ミスト装置１００の給水路８１や温水路８２などの水や温水が通流する配管の配管径や圧力損失は固定の値であるためである。
【００８８】
同様に、熱源機１からの供給される温水の流量や温水の圧力にも上限が存在する。すなわち温水路８２の流量や温水の圧力にも上限がある。
そして、温水路８２を通流する温水の圧力は、当該温水の通流量が大きくなるほど低下する。第一熱交換部４１や温水路８２などを温水が通流する場合の圧力損失のためである。本例では、給水路８１に２５Ｌ／ｍｉｎの給水が０．３６ＭＰａで行われている場合、すなわち、第一熱交換部４１を２５Ｌ／ｍｉｎの水が通流し、温水路８２に２５Ｌ／ｍｉｎの温水が供給されている場合、温水路８２での温水の圧力は０．１０ＭＰａ程度に低下する。この場合、ノズル供給路３での温水の圧力も０．１０ＭＰａ程度になる。この場合、ノズル部２１に供給される温水の圧力は０．１５ＭＰa未満となる。また、ノズル供給路３を通流可能な温水の流量も、少なくとも３．５Ｌ／ｍｉｎ未満となる。
なお、このように温水路８２に供給される温水の流量が増加し、温水路８２での温水の圧力が低下するのは、給湯運転が行われ、給湯部８９の給湯口が実質的に大気圧開放状態となるような場合である。
また、温水路８２での温水の流量の上限や圧力は、ミスト装置１００を浴室Ｙに設置する以前に、予め計測などしておくことができる。
【００８９】
そこで、本例では、ミスト運転を開始した場合にノズル供給路３の流量が所定の流量未満、たとえば３．５Ｌ／ｍｉｎ未満となるかどうかを判断するために、給湯運転で放出される温水の放出流量を確認し、給湯運転で放出される温水の放出流量が所定の値を超える場合に、低水圧条件が満たされていると判定する構成を採っている。
このようにすれば、ミスト運転を開始する以前に、ノズル部２１に供給される温水の圧力が低くなるかどうかを予測することができる。
【００９０】
さらに、給湯運転で放出される温水の放出流量の確認は、温水路８２から給湯部８９に供給される温水の流量により、確認する構成を採っている。すなわち、給湯運転で放出される温水の放出流量が、温水路８２から給湯部８９に供給される温水の流量と同じであるから、温水路８２から給湯部８９に供給される温水の流量が、所定の値を超える場合に、低水圧条件が満たされていると判定する構成を採っている。
【００９１】
そしてさらに、温水路８２から給湯部８９に供給される温水の流量の確認は、給水路８１の流量により、確認する構成を採っている。すなわち制御部１１は、流量検知部８４の検知する流量を監視して、給水路８１を通流する水の流量が所定の値を超える場合に、低水圧条件が満たされていると判定するのである。給水路８１を通流する水の流量が所定の値を超える場合には、温水路８２から給湯部８９に供給される温水の流量が、所定の値を超える場合であると考えられるためである。
【００９２】
したがって、給水路８１から供給される水の流量が所定の値を超える場合には、給湯部８９に供給される温水の流量、すなわち給湯運転で放出される温水の放出流量が所定の値を超える場合であり、ノズル部２１に供給される温水の圧力が低くなると予測される場合である。よって、制御部１１は、給水路８１から供給される水の流量が所定の値を超える場合に、低水圧条件が満たされていると判定することができる。
【００９３】
なお、このように、給水路８１から供給される水の流量が所定の値を超える場合に、低水圧条件が満たされていると判定する構成によれば、ミスト運転を開始する以前にも、ミスト運転を実行中においても、低水圧条件が満たされているかどうかの判定を行えるため好適である。
【００９４】
〔噴霧状態管理制御のフローの説明〕
次に、ミスト運転の噴霧状態管理制御について、図５のフローチャートを用いて説明する。
以下の例では、噴霧流量調節弁１０が開弁する前に判断する第一低水圧条件と、噴霧流量調節弁１０の開弁後に判断する第二低水圧条件とを別個に設定し、第一低水圧条件ないし第二低水圧条件を満たす場合に、低水圧条件を満たすと判断される場合を説明する。
【００９５】
本例では、第一低水圧条件は、給水路８１の流量検知部８４の検出値が２２．５Ｌ／ｍｉｎ（給水路８１を通流する水の流量についての所定の値の一例）を超える場合に満たされたと判断される。第一低水圧条件が満たされた場合、制御部１１は、ノズル部２１に供給される温水の圧力が低くなると予測して低水圧条件が満たされていると判断する。
【００９６】
また本例では、第二低水圧条件は、圧力検知部８６の検知圧力が０．１５ＭＰａ（所定の圧力の一例）未満となる場合に、満たされたと判断される。第二低水圧条件が満たされた場合、制御部１１は、ノズル部２１に供給される温水の圧力が低くなったと判断して低水圧条件が満たされていると判断する。
【００９７】
例えば、リモコン等においてミスト装置１００のミスト運転の開始と動作時間（いわゆるタイマー、例えば１０分間の動作時間が設定される）が指示されると、制御部１１にミスト運転開始の指示があったことを示す指示情報が送信され、ミスト運転が開始される（ステップ＃１０）。
【００９８】
ミスト運転が開始されると、制御部１１は、第一低水圧条件が満たされているかどうかを判断（ステップ＃１１）し、第一低水圧条件が満たされない場合（ステップ＃１１：Ｎｏ）は、噴霧流量調節弁１０を開弁して噴霧を開始（ステップ＃１２）する。つまり、ノズル部２１に供給される温水の圧力が十分であると判断し、ノズルユニット２の噴霧を開始する。
【００９９】
第一低水圧条件が満たされる場合（ステップ＃１１：Ｙｅｓ）は、所定時間（たとえば３０秒）待機（ステップ＃１６）し、再度第一低水圧条件が満たされるかどうかの判断（ステップ＃１１）を行う。つまり、ノズル部２１に供給される温水の圧力が低くなる、または、低くなると予測されると噴霧開始前に判断し、ノズルユニット２の噴霧開始を保留する。
【０１００】
噴霧流量調節弁１０を開弁し、噴霧を開始（ステップ＃１２）したのちは、第二低水圧条件が満たされているかどうかの判断（ステップ＃１３）を行う。
第二低水圧条件が満たされていない場合（ステップ＃１３：Ｎｏ）は、さらに動作時間としてあらかじめ設定したタイマー時間経過の判断（ステップ＃１４）を行う。
【０１０１】
第二低水圧条件が満たされている場合（ステップ＃１３：Ｙｅｓ）は、噴霧流量調節弁１０を閉弁して噴霧を停止（ステップ＃１７）する。その後、待機（ステップ＃１６）する。つまり、ノズル部２１に供給される温水の圧力が低くなる、または、低くなると予測されると噴霧中に判断した場合には、ノズルユニット２の噴霧開始を停止して、一旦待機する。
【０１０２】
タイマー時間経過を経過していなければ（ステップ＃１４：Ｎｏ）、第二低水圧条件が満たされているかどうかの判断（ステップ＃１３）にもどる。
タイマー時間経過を経過していれば（ステップ＃１４：Ｙｅｓ）、噴霧流量調節弁１０を閉弁して噴霧を終了（ステップ＃１５）し、ミスト運転を終了（ステップ＃１９）する。
以上でミスト運転および噴霧状態管理制御は終了する。
【０１０３】
なお、上記説明では省略したが、制御部１１は、噴霧状態管理制御を実施する場合に、燃焼制御も同時に実行していることが好ましい。燃焼制御も同時に実行している場合、燃焼制御は霧状態管理制御に優先される。
【０１０４】
また、上記説明では省略したが、ミスト運転が所定時間待機（ステップ＃１６）状態となる場合には、入浴者に対して、ミスト運転実行中における待機状態である旨が報知されることが好ましい。たとえば、リモコン（図示せず）に報知部を備え、光や文字表示、音声などで通知すればよい。これにより、入浴者は、故障などでは無く正常にミスト運転が待機状態であることを知ることができ、安心感を抱く。したがって、ミスト運転を行う場合にミスト装置１００の使用性が向上する。
【０１０５】
また、上記説明では省略したが、制御部１１は、ミスト運転と暖房運転とを並行して実施している。上記説明においては、ミスト運転が所定時間待機（ステップ＃１６）状態となる場合、循環部７０による暖房運転を継続する構成とするとよい。
このような構成とすれば、給湯運転が行われ、その結果ミスト運転が待機状態となったような場合にも、室内を所定の温度に維持または上昇させることができるため、室内の温度低下を抑制することができる。
【０１０６】
〔その他の実施形態〕
（１）上記の実施形態では、ノズル供給路３の流量を確認するために、制御部１１が、給水路８１の流量検知部８４の値を監視して、給水路８１での水の流量が所定の値を超える場合に、低水圧条件が満たされていると判定する構成を例示した。
しかし、ノズル供給路３の流量を確認するために、ノズル供給路３に流量を検知する流量検知部を設け、制御部１１が、当該流量検知部の値を監視して、ノズル供給路３での温水の流量が所定の流量未満の場合に、低水圧条件が満たされていると判定してもよい。
このような構成とすれば、制御部１１が、より正確に低水圧条件を判断できる。
【０１０７】
（２）上記の実施形態では、圧力検知部８６の上流に噴霧流量調節弁１０を備え、噴霧流量調節弁１０が開弁する前に判断する第一低水圧条件と、噴霧流量調節弁１０の開弁後に判断する第二低水圧条件とを別個に設定し、第一低水圧条件ないし第二低水圧条件を満たす場合に、低水圧条件を満たすと判断される場合を説明した。
しかし、圧力検知部８６の下流に噴霧流量調節弁１０を備え、低水圧条件は一つだけ設定してもよい。たとえば、噴霧流量調節弁１０が開弁する前も、噴霧流量調節弁１０の開弁後も、第二低水圧条件を満たす場合に、低水圧条件を満たすと判断してもよい。
このような構成とすれば、制御部１１の制御を簡略化でき、好ましい場合がある。
【０１０８】
（３）上記の実施形態では、圧力検知部８６の上流に噴霧流量調節弁１０を備え、噴霧流量調節弁１０が開弁する前に判断する第一低水圧条件と、噴霧流量調節弁１０の開弁後に判断する第二低水圧条件とを別個に設定し、第一低水圧条件は、給水路８１での水の流量が所定の超える場合に、低水圧条件が満たされていると判定する構成を例示した。
しかし、圧力検知部８６の下流に噴霧流量調節弁１０を備え、さらに、第一低水圧条件は、第二低水圧条件と同様に、圧力検知部８６の検知圧力が所定の圧力（第二低水圧条件の場合とは異なる値の所定の圧力）未満となる場合に、満たされていると判定する構成とし、低水圧条件が満たされていると判定する場合の、圧力検知部８６の検知圧力を、第二低水圧条件の場合よりも大きな値とすることができる。
例えば、第一低水圧条件は圧力検知部８６の検知圧力が０．１７ＭＰａ（所定の圧力の一例）未満となる場合に満たされることとし、この場合に、低水圧条件が満たされていると判定してもよい。
噴霧流量調節弁１０が開弁してノズル供給路３での温水が通流を開始すると、通常、温水の通流開始に伴って、ノズル供給路３での温水の圧力は低下する。したがって、このような構成とすれば、噴霧流量調節弁１０が開弁してノズル供給路３での温水が通流を開始した直後に第二低水圧条件が満たされて、制御部１１が低水圧条件が満たされていると判断して、ミスト運転が待機する場合を回避できる。
【０１０９】
（４）上記の実施形態では、第二低水圧条件は、圧力検知部８６の検知圧力が０．１５ＭＰａ（所定の圧力の一例）未満となる場合に、満たされたと判断する場合を説明した。
しかし、第二低水圧条件は圧力検知部８６の検知圧力が０．１５ＭＰａ（所定の圧力の一例）未満となる場合、または、給水路８１の流量検知部８４の検出値が２２．５Ｌ／ｍｉｎである場合に、満たされたと判断してもよい。
このような構成とすれば、ミスト運転の実行中にも、ノズル部２１に供給される温水の圧力が低くなる場合と、低くなると予測される場合とにおいて、低水圧条件であると判断することができる。
【０１１０】
（５）上記の実施形態では、ミスト運転が所定時間待機（ステップ＃１６）状態となる場合に循環部７０による暖房運転を行う例を示したが、循環部７０による暖房運転はミスト運転の実行中においても実行されるよう構成してもよい。
【０１１１】
（６）上記の実施形態では、循環部７０がミスト運転及び給湯運転のための温水を生成する熱源機１によって加熱供給される温水により内気を加温する例を示したが、循環部７０は、熱源機１とは異なる他の熱源機を用いて内気を加温してもよい。
【０１１２】
（７）上記の実施形態では、浴室Ｙの天井裏に設置する「天井設置型」のミスト部９０を有するミスト装置１００を例示し、ノズルユニット２が浴室Ｙの天井Ｙａから浴室内にむけて設けられる例を示した。
しかし、ノズルユニット２が浴室Ｙの壁から浴室内に向けて設けられてもよい。
【０１１３】
（８）上記の実施形態では、浴室Ｙの側から見た場合、ノズル部２１のノズル口２２を、同一の間隔で、直線状に１列にノズル口２２を１３個配列し、これを平行に２列に並べた場合を例示した。
しかし、ノズル口２２は、同一の間隔で配列する場合に限られない。ノズル口２２は、不均一な間隔で配置してもよい。また、所定の複数の間隔の組み合わせで配列してもよい。
また、ノズル口２２を直線状に配列する場合に限られない。ノズル口２２を曲線状に配列する場合もある。
また、ノズル口２２を直線状や曲線状に配列した場合に、１列や２列、もしくは３列以上並べる場合もある。
【０１１４】
（９）上記の実施形態では、制御部１１は、ミスト運転と暖房運転とを並行して実施している場合を例示した。
しかし、制御部１１は、ミスト運転を停止している場合に暖房運転を行うこととしてもよい。
【０１１５】
なお、上記実施形態（別実施形態を含む、以下同じ）で開示される構成は、矛盾が生じない限り、他の実施形態で開示される構成と組み合わせて適用することが可能であり、また、本明細書において開示された実施形態や各種の数値範囲例示であって、本発明の実施形態はこれに限定されず、本発明の目的を逸脱しない範囲内で適宜改変することが可能である。
【産業上の利用可能性】
【０１１６】
本発明は、室内に向けられた複数のノズル部を備え、ミスト用水路を通って供給されるミスト用水をノズル部から室内に向けて噴霧するミスト機能付き給湯装置に用いることが可能である。
【符号の説明】
【０１１７】
１        ：熱源機
２        ：ノズルユニット（複数のノズル部）
３        ：ノズル供給路
１１      ：制御部
２１      ：ノズル部
５５      ：蛇口部（給湯部）
５６      ：カラン（給湯口）
６５      ：湯張り部（給湯部）
６７      ：風呂アダプタ（給湯口）
８１      ：給水路
８２      ：温水路
８９      ：給湯部
９０      ：ミスト部
１００    ：ミスト装置（ミスト機能付き給湯装置）
Ｙ        ：浴室
【図１】
2018084384.tif 000003
【図２】
2018084384.tif 000004
【図３】
2018084384.tif 000005
【図４】
2018084384.tif 000006
【図５】
2018084384.tif 000007